(57)【要約】      （修正有）【課題】転がり落ちる転動体を使用する遊具において、誰もが飽きることなく遊びに興じることができるようにした遊具を提供する。【解決手段】この遊具は、転動体１が転がり落ちる方向を誘導する通路Ｐを設けた複数の通路体１０と、転動体１が隣り合った通路Ｐから通路Ｐへ転がり落ちるようなコースＣを作るように通路体１０を着脱自在に装着する鉛直姿勢ないし傾斜姿勢の被着面Ａとを備えている。通路体１０が被着面Ａに磁気吸着されるように、通路体１０と被着面Ａの一方が永久磁石を備え、他方が永久磁石又は軟磁性体を備えている。【選択図】図１
2017195931.tif 000002
【特許請求の範囲】
【請求項１】
転動体が隣り合った通路から通路へ転がり落ちるようにガイドするための複数の通路体であって、鉛直姿勢ないし傾斜姿勢の被着面に着脱自在に装着される複数の通路体を備えていることを特徴とする遊具。
【請求項２】
前記通路体が前記被着面に磁気吸着されるように、前記通路体と前記被着面の一方が永久磁石を備え、他方が永久磁石又は軟磁性体を備えていることを特徴とする請求項１に記載の遊具。
【請求項３】
外周面の少なくとも一部分に永久磁石又は軟磁性体を有する転動体を備え、前記通路体は、前記転動体に対して吸引力又は反発力が生じるように少なくとも一部分に永久磁石又は軟磁性体を有していることを特徴とする請求項１又は２に記載の遊具。
【請求項４】
前記通路体は、この転動体が転がり落ちる溝状の通路を設けるガイドレールを備えていることを特徴とする請求項１ないし３のいずれか一項に記載の遊具。
【請求項５】
前記転動体が転がり落ちる方向を変更させる障害物をコースの途中に備えていることを特徴とする請求項１ないし４のいずれか一項に記載の遊具。
【発明の詳細な説明】
【技術分野】
【０００１】
本発明は、転動体が転がり落ちる複数の通路を備えた遊具に関する。
【背景技術】
【０００２】
幼児などが球体などで遊ぶ遊具が種々提供されている。例えば、特許文献１に記載された遊具（公報では転動玩具）は、転動体が転がるように斜め向きとされた複数の傾斜板（公報では転動板）と、この傾斜板を支持する箱体とを備えている。箱体の背板には、複数個の係止孔が設けられている。傾斜板は、上端が軸によって背板に回動自在に支持され、背板に設けられた任意の係止孔に係止ピンが嵌め込まれることで、傾斜板の傾斜角度を変更することができる。この玩具は、転動体が傾斜板上を転がり落ちる様子を観察することができる。
【先行技術文献】
【特許文献】
【０００３】
【特許文献１】実公昭６１−２２６４０号公報
【発明の概要】
【発明が解決しようとする課題】
【０００４】
特許文献１に記載された遊具は、傾斜板の角度を変更することができるようにされているものの、上端が軸によって拘束されているため、転動体が転がり落ちる方向を自由に設計することができない。したがって、この遊具は、子どもでも飽きてしまい、大人にあってはそもそも興味を持てない単調な構成となっている。
【０００５】
そこで、本発明は、転がり落ちる転動体を使用する遊具において、誰もが飽きることなく遊びに興じることができるようにした遊具を提供することを課題とする。
【課題を解決するための手段】
【０００６】
本発明に係る遊具は、転動体が隣り合った通路から通路へ転がり落ちるようにガイドするための複数の通路体であって、鉛直姿勢ないし傾斜姿勢の被着面に着脱自在に装着される複数の通路体を備えていることを特徴としている。
【０００７】
この遊具によれば、遊戯者が通路体を被着面に好きなように装着し、転動体が転がり落ちるようにガイドするコースを自由に設計することができる。例えば、通路体を斜め向きとするだけで、右下がりの通路や左下がりの通路を種々の傾斜角度で容易に作ることができる。さらに、隣り合った通路体と通路体との間隔を上下方向に開けたり狭くしたりすることで、種々のコースを作ることができる。しかも、複数の通路体が被着面に着脱自在に装着されるため、このコースを容易に変更できるだけでなく、転動体の落下速度や落下方向、落下場所を変更ないし調整することもできる。
【０００８】
そして、最上段の通路体に置かれた転動体は、通路体にガイドされて下方の通路体へ転がり落ちる。遊戯者は、設計されたコースを転動体がどのように転がり落ちるのだろうかという推測できることも楽しみとなる。したがって、遊戯者は、コースを迷路のように設計し、変更するという試行錯誤によって、頭を使うことによっても、楽しむことができる。
【０００９】
前記本発明に係る遊具の一態様は、前記通路体が前記被着面に磁気吸着されるように、前記通路体と前記被着面の一方が永久磁石を備え、他方が永久磁石又は軟磁性体を備えていることを特徴としている。
【００１０】
この遊具によれば、通路体が被着面に磁気吸着されることにより、通路体を被着面に容易に着脱することができ、通路の方向を容易に変更することができる。
【００１１】
前記本発明に係る遊具の他態様は、外周面の少なくとも一部分に永久磁石又は軟磁性体を有する転動体を備え、前記通路体は、前記転動体に対して吸引力又は反発力が生じるように少なくとも一部分に永久磁石又は軟磁性体を有していることを特徴としている。
【００１２】
この遊具によれば、通路体が下流端に永久磁石又は軟磁性体を有している場合において、隣り合った通路体の間隔が転動体よりも大きな非連続部をコースに設け、転動体が通路体から非連続部まで転がり落ちたときに、転動体の少なくとも一部分に有する永久磁石又は軟磁性体が通路体の下流端に有する永久磁石又は軟磁性体に磁気吸着されると、転動体が非連続部から落下し、下側に配置された通路体の通路上を転がり落ちる。非連続部まで転がり落ちた転動体が通路体の下流端に有する永久磁石又は軟磁性体に磁気吸着されないと、非連続部から落下することなく下流側の通路体に勢いよく飛び移る。
【００１３】
また、通路体が通路の途中に永久磁石又は軟磁性体を有している場合において、転動体が通路の磁性を有している部位を転がり落ちたときに、転動体の永久磁石が通路の永久磁石と同じ磁極であれば、転動体に反発力が生じることで、転動体が通路の表面から少し浮きあがった状態となり、異なる磁極であったり、軟質磁性体であったりすれば、吸引力が生じることで、転動体が通路体に埋設された永久磁石又は軟磁性体に近づくにつれて加速され、その後、永久磁石又は軟磁性体を通過した転動体がスピードダウンして転がり落ちる。
【００１４】
前記本発明に係る遊具の異なる他態様は、前記通路体は、この転動体が転がり落ちる溝状の通路を設けるガイドレールを備えていることを特徴としている。この遊具によれば、ガイドレールによって溝状の通路が形成され、この通路内を転がり落ちる転動体がガイドレールによって通路から脱落しないようにすることができる。
【００１５】
前記本発明に係る遊具のさらに異なる他態様は、前記転動体が転がり落ちる方向を変更させる障害物をコースの途中に備えていることを特徴としている。この遊具によれば、障害物によって転動体が転がり落ちる方向を予測することができなくなり、転動体の進む方向によってコースに戻ったり戻れなかったりすることができるという楽しみが追加される。
【発明の効果】
【００１６】
本発明によれば、転がり落ちる転動体を使用する遊具において、誰もが飽きることなく遊びに興じることができるようにした遊具を提供することができる。
【図面の簡単な説明】
【００１７】
【図１】本発明に係る遊具の第１の実施形態を示す正面図である。
【図２】本発明に係る遊具の第１の実施形態であって、遊具で使用する転動体の変形例などを示す側面図である。
【図３】本発明に係る遊具の第１の実施形態であって、遊具に備えられた第１の通路体を示す側面図である。
【図４】本発明に係る遊具の第１の実施形態であって、遊具に備えられた第２の通路体を示す側面図である。
【図５】本発明に係る遊具の第１の実施形態であって、遊具に備えられたポケットを示す側面図である。
【図６】本発明に係る遊具の第２の実施形態であって、（ａ）〜（ｄ）は遊具に備えられた異なる転動体を示す正面図である。
【図７】本発明に係る遊具の第２の実施形態であって、遊具に備えられた通路体を示す正面図である。
【図８】本発明に係る遊具の第２の実施形態を示す正面図である。
【図９】本発明に係る遊具の第３の実施形態であって、（ａ）〜（ｄ）は遊具に備えられた異なる障害物を示す正面図である。
【図１０】本発明に係る遊具の第４の実施形態であって、（ａ）〜（ｃ）は異なる障害物で作られた通路を示す正面図である。
【図１１】本発明に係る第５の実施形態を示す斜視図である。
【発明を実施するための形態】
【００１８】
〔第１の実施形態〕
本発明に係る遊具の第１の実施形態について図１ないし図５を参照しながら説明する。第１の実施形態に係る遊具は、転動体１が隣り合った通路Ｐから通路へ転がり落ちるようにガイドするための複数の通路体１０を備えている。複数の通路体１０は、鉛直姿勢ないし傾斜姿勢の被着面Ａに着脱自在に装着される。被着面Ａに装着された複数の通路体１０が並べられることで、転動体１が転がり落ちるコースＣが形成される。
【００１９】
転動体１としては、円盤や図２に示すような小径の円盤部１ｇと大径の円盤部１ｆとを同心の二段重ねとした円盤、あるいは、図示しない多角形盤が採用される。いずれにしても、第１の実施形態に係る遊具は、図３に示す第１の通路体１１や、図４に示す第２の通路体１２などによって、転動体１が立った姿勢で転がり落ちる通路Ｐを形成している。
【００２０】
図３に示す第１の通路体１１は、被着面Ａに一定の間隔をあけて向き合う幅広（図面において上下方向に長い）板状のガイドレール１１ａと、被着面Ａに着脱される幅狭（図面において上下方向に短い）板状のスペーサ（以下、「第１のスペーサ」という。）１１ｃとを備えている。
【００２１】
第１のスペーサ１１ｃは、転動体１の厚さよりもわずかに厚く、ガイドレール１１ａの裏面（被着面Ａと向き合う面）に設けられている。第１のスペーサ１１ｃとガイドレール１１ａとは、一体成型されていてもよいし、別体成形され、接着剤で一体化されていてもよいし、凹凸部で嵌合一体化してもよい。この第１のスペーサ１１ｃとガイドレール１１ａと被着面Ａとで三方囲まれた領域に通路Ｐが形成される。いずれにしても、第１のスペーサ１１ｃの裏面は被着面Ａに着脱自在に装着される部位とされる。
【００２２】
そのため、この第１のスペーサ１１ｃの裏面には、凹条又は凹部（採番せず）が形成されている。凹条には、棒状の永久磁石１１ｄが埋め込まれ、凹部には、ボタン状の永久磁石１１ｄが埋め込まれる。なお、棒状の永久磁石１１ｄ自体又はボタン状の永久磁石１１ｄ自体を多数隣接させてガイドレール１１ａに接着剤や両面テープなどによって固定することで、永久磁石１１ｄ自体を第１のスペーサ１１ｃとしてもよい。
【００２３】
そして、被着面Ａは、第１の通路体１１に備えられた永久磁石１１ｄを磁気吸着する壁であって、壁の下地の全面又は一部にマグネットシートのような永久磁石が貼られ、あるいは、鉄のような軟磁性体で形成され、その上に壁紙を貼ってもよいし、ホワイトボードやスチール家具のような汎用品であってもよい。
【００２４】
図４に示す第２の通路体１２は、転動体１の厚さよりも若干広い間隔で向き合った表側ガイドレール１２ａと裏側ガイドレール１２ｂと、この表側ガイドレール１２ａと裏側ガイドレール１２ｂとを転動体１の厚さよりもわずかに広い間隔で保持する棒状のスペーサ（以下、「第２のスペーサ」という。）１２ｃと、裏側ガイドレール１２ｂの裏面から突出して被着面Ａに着脱自在に装着される装着部１２ｅとを備えている。
【００２５】
両ガイドレール１２ａ，１２ｂと第２のスペーサ１２ｃと装着部１２ｅとは、それぞれ一体成形されていてもよいし、別体成形され、接着剤で一体化されていてもよいし、凹凸部で嵌合一体化してもよい。
【００２６】
そして、装着部１２ｅの裏面には、凹条又は凹部（採番せず）が形成されている。凹条には、棒状の永久磁石１２ｄが埋め込まれ、凹部には、ボタン状の永久磁石１２ｄが埋め込まれる。なお、棒状の永久磁石１２ｃ自体又はボタン状の永久磁石１２ｄ自体を多数隣接させて装着部１２ｅ又は裏側ガイドレール１２ｂに接着剤や両面テープなどによって固定することで、永久磁石１２ｄ体を装着部１２ｅとしてもよい。
【００２７】
なお、第２の通路体１２の変形例として、表側ガイドレール１２ａと裏側ガイドレール１２ｂとの間隔を一定にしつつ、被着面Ａから離れたり近づいたりするように蛇行させてもよいし、第２の通路体１２の装着部１２ｅを備えず、裏側ガイドレール１２ｂが装着部１２ｅを兼ねるようにしてもよい。
【００２８】
そして、第１の通路体１１のガイドレール１１ａ及び第２の通路体１２の表側ガイドレール１２ａは、転動体を透視できる透明ないし半透明又は着色ないし模様付きの部材で形成され、あるいは、転動体を透視できない不透明の部材で形成されている。
【００２９】
そして、第１の通路体１１も第２の通路体１２も（以下、区別する必要がない場合は、「通路体１０」として説明する。）、例えば、スペーサ１１ｃ，１２ｃがガイドレール１１ａ，１２ａ，１２ｂの中心線上に設けられると、通路体１０の上側と下側とに同じ深さの通路Ｐが設けられ、天地反転しても同じ深さの通路Ｐとして使用することができる。
【００３０】
スペーサ１１ｃ，１２ｃがガイドレール１１ａ，１２ａ，１２ｂの中心線から偏って設けられると、通路体１０の一方に深い溝の通路Ｐが設けられ、他方に浅い溝の通路Ｐが設けられる。例えば、深い溝は、転動体１の直径よりも深く、浅い溝は、転動体１の半径程度以下としてもよい。また、スペーサ１１ｃ，１２ｃがガイドレール１１ａ，１２ａ，１２ｂの下端縁に設けられると、１本の通路Ｐのみ設けられる。
【００３１】
そして、第１の実施形態に係る遊具は、オプションとして転がり落ちてきた転動体１をストックするポケット２０をコースＣの終点（ゴール）に備えている。ポケット２０は、図５にも示すように、１枚以上の転動体１を受け容れる上面開口の容器であり、正面板２１や正面板２１の両側縁と下縁に沿う側板２２とを備えている。第２の通路体１２で通路を作る場合のポケット２０には、装着部１２ｅ及び裏側ガイドレール１２ｂの厚さ分の背面板２３が備えられる。
【００３２】
このポケット２０は、被着面Ａに向き合う側板２２の裏面と、備えられる場合の背面板２３の裏面に永久磁石２３ａを備え、ポケット２０が被着面Ａの任意の部位に着脱できるようにされている。なお、被着面Ａがマグネットシートのような永久磁石が貼られている場合は、ポケット２０の裏面に軟磁性体を備えてもよい。そして、正面板２１は、透明ないし半透明とされることで、何枚の転動体１がストックされたかを目視できるようにされている。
【００３３】
ここで、第１の実施形態に係る遊具の基本的な遊戯方法について説明する。通路体１０が永久磁石１１ｄ，１２ｄによって被着面Ａの任意の位置に、任意の傾斜角度で磁気吸着される。例えば、図１に示すように、３本の通路体１０を上下方向に並べ、上段の通路体１０が右下がりの通路Ｐ、中段の通路体１０が左下がりの通路Ｐ、下段の通路体１０が右下がりの通路Ｐ、それぞれの通路体１０と通路体１０との間に非連続部Ｑを有するようなコースＣが作られる。このコースＣを作る作業も遊戯の一環として行われる。
【００３４】
そして、転動体１が上段の通路Ｐの上流端に置かれると、この転動体１は通路Ｐ内を右下方向、左下方向、右下方向に転がり落ちる。通路体１０の傾斜角度が大きければ、転動体１が転がり落ちる速度は速くなり、通路体１０の傾斜角度が小さければ、転動体１が転がり落ちる速度が遅くなるため、通路体１０の傾斜角度を変更するだけでも、転動体１が転がり落ちていく様子を見て楽しむことができる。なお、転動体１は自重によって通路体１０に押し付けられており、摩擦力を受けて次第に回転する様になる。
【００３５】
そして、ガイドレール１１ａが不透明であっても、通路Ｐの溝が転動体１の直径よりも浅く、転動体１の上側が通路体１０のガイドレール１１ａよりも出ていることで、転動体１がどこを転がり落ちているかを目で追っていける。ガイドレール１１ａが不透明であって、通路Ｐの溝が転動体１の直径よりも深い場合は、転動体１がどこを転がり落ちているかわからず、通路Ｐの下流端から非連続部Ｑにいきなり飛び出す様子を見て楽しむことができる。通路Ｐの溝が転動体１の直径よりも深くても、ガイドレール１１ａが透明ないし半透明であれば、転動体１が転がり落ちていく様子を見て楽しむことができる。
【００３６】
どのような態様であっても、転動体１は、溝状の通路Ｐ内を転がり落ちることで、通路Ｐ外へ脱落することなく、上段の通路Ｐから下段の通路Ｐへ転がり落ち、最終的にポケット２０内に落下するとゴールとなり、ポケット２０内でストックされる。ポケット２０内に落下した転動体１は、床の上などに散らからない。
【００３７】
また、転動体１は、大きさや重さが異なる種々のタイプを揃えることで、さらに、表面に種々の模様を描くことで、転動体１の転がり落ちる様子が異なり、非連続部Ｑにおいて脱落して下流側の通路Ｐへ転がり落ちなかったりするという様子を見て楽しむことができる。なお、図２に示した二段重ねの円盤の大径の円盤部１ｆの外周部が通路Ｐ内に嵌り込む転動体１にあっては、小径の円盤部１ｇの表面に円形特有の模様を描くことができる。
【００３８】
また、第１の実施形態に係る遊具は、基本的な遊戯方法以外に種々の方法で楽しむことができる。例えば、中段や下段の通路Ｐは二股に分岐し、いくつものゴールが設けられ、それぞれのゴールに設けられたポケット２０に１点や２点などの配点を施しておく。そして、例えば１個又は２個以上の転動体１を転動させ、各ポケット２０に集まった数と配点との積の総和を競うというゲームができる。
【００３９】
あるいは、定められたその他の部材を全て用いて、転動体１がスムーズに転動してポケット２０に収まる迷路そのものを創作するというゲームを楽しむことができる（以下の実施形態も同じ）。
【００４０】
〔第２の実施形態〕
本発明に係る遊具の第２の実施形態について主として図６ないし図８を参照しながら説明する。第２の実施形態に係る遊具において、第１の実施形態に係る遊具と同一部分は、同一符号を付して説明する。
【００４１】
第２の実施形態に係る遊具で使用する転動体１は、図６に示すように、円盤の外周面の一部にＮ極又はＳ極が現れる永久磁石１ａ、又は図示しないが、鉄のような軟磁性体を少なくとも一部に有する円盤を使用する。転動体１の永久磁石１ａや軟磁性体以外の部位は、非磁性体１ｂとされている。
【００４２】
図６（ａ）に示す転動体１は、円盤の外周部の一部に１個の永久磁石１ａを備え、Ｎ極が出現し、Ｓ極が内在する様になっている。いうまでもなく、Ｓ極が出現し、Ｎ極が内在してもよい。
【００４３】
図６（ｂ）に示す転動体１は、円盤の外周部の対極位置に永久磁石１ａ，１ａを備えている。一方の永久磁石１ａはＮ極が外周部に現れ、他方の永久磁石１ａはＳ極が現れる。いうまでもなく、両永久磁石ともに同極が現れるようにしてもよい。
【００４４】
図６（ｃ）に示す転動体１は、９０度の間隔と１８０度の間隔で離れた３個の永久磁石１ａを円盤の外周部に備えている。永久磁石１ａはＮ極とＳ極とが現れる様に配置されている。いうまでもなく、両永久磁石ともに同極が現れるようにしてもよい。また、３個の永久磁石１ａの間隔は、等間隔であってもよいし、例えば４５度、１３５度、１８０度などのように全く不均等にしてもよい。
【００４５】
図６（ｄ）に示す転動体１は、外周部の一部に並んだ５個一組の永久磁石１ａ，１ａ，…を二組、対極位置に備えている。一方の組の永久磁石１ａ，１ａ，…は、同極が現れるようにするだけでなく異極が混ざっている。他方の組の永久磁石１ａ，１ａ，…は、全て同極が現れているが、異極が混じってもよい。また、両方の組とも異極が混じってもよいし、全て同極としてもよい。
【００４６】
そして、通路体１０は、図７に示すように、通路Ｐの下流端及び通路Ｐの表面側の一か所以上に永久磁石又は軟磁性体などの磁性体（以下、永久磁石として説明する。）１０ａを備えている。具体的には、非磁性体製のスペーサ１１ｃ，１２ｃ（図３、図４参照）の下流端からＳ極又はＮ極の永久磁石１０ａが突出し、非磁性体製とされたスペーサ１１ｃ，１２ｃの表面に盛り上がらないようにＳ極又はＮ極の永久磁石１０ａが表面に露出するように、あるいは表面に露出しないように埋め込まれている。なお、転動体１が永久磁石１ａを備える場合は、通路体１０は、永久磁石１０ａに替え、鉄のような軟磁性体を備えてもよい。
【００４７】
このような永久磁石１０ａを備えた通路体１０は、図１に示したように、複数本が上下方向に並べられるだけでなく、図８に示すように、非連続部Ｑの通路Ｐに永久磁石１０ａが突出し、この非連続部Ｑの下方にも通路Ｐの上流端が来るように並べることができる。この非連続部Ｑの間隔は、転動体１の直径以上とされることで、分岐したコースＣが作られる。
【００４８】
そして、上流側の通路Ｐ内を転がり落ちてきた転動体１が非連続部Ｑに来たときに、転動体１の永久磁石１ａが非連続部Ｑで突出した永久磁石１０ａと向き合わないと、この転動体１は、勢いによって非連続部Ｑを越えて斜め下の下流側の通路Ｐの上流端へ飛び移り、この下流側の通路Ｐ内を転がり落ちる。
【００４９】
しかし、上流側の通路Ｐ内を転がり落ちてきた転動体１が非連続部Ｑに来たときに、転動体１の永久磁石１ａが非連続部Ｑで突出した永久磁石１０ａに向き合うと、両永久磁石１ａ，１０ａが磁気吸着され、転動体１が非連続部Ｑ内に入り込む。そして、この転動体１は、自重によって真下の通路Ｐの上流端に落下し、この下側の通路Ｐ内を転がり落ちる。したがって、転動体１が通路Ｐの下流端に来たときに、転動体１の永久磁石１ａと通路Ｐの永久磁石１０ａとが向き合うか向き合わないかで進行方向が変わるという予測できない動きを楽しむことができる。
【００５０】
そして、通路Ｐ内を転がり落ちている転動体１が通路Ｐの途中に埋設された永久磁石１０ａ上を通るとときに、転動体１の永久磁石１ａが通路Ｐの途中に埋設された永久磁石１０ａ上を通らないと、転動体１が通路Ｐ上を普通に転がり落ちる。
【００５１】
しかし、この転動体１の永久磁石１ａの磁極が通路体１０に埋設された永久磁石１０ａの磁極と同じであると、転動体１が通路Ｐ上を少し浮きあがる状態となる。転動体１の永久磁石１ａと通路体１０に埋設された永久磁石１０ａとが異なる磁極である場合は、転動体１が通路体１０の永久磁石１０ａに近づくにつれて加速され、永久磁石１０ａを通過した転動体がスピードダウンして転がり落ちる。したがって、転動体１の永久磁石１ａが通路Ｐに埋設された永久磁石１０ａ上を通る状況によって、換言すれば、偶然に支配された転動体１が浮き上がらなかったり、浮き上がったり、加速されたりなど予測できない動きを楽しむことができる。
【００５２】
なお、前記第２の実施形態では、通路体１０の下流端と通路Ｐの上面との両方に永久磁石１０ａを備えることなく、一方にのみ永久磁石１０ａを備えてもよい。また、第１の実施形態で説明した同じ深さの溝を有する通路体１０において、一方の通路Ｐに永久磁石１０ａを埋設し、他方の通路Ｐに永久磁石を埋設しないことで、簡便に使い分けるようにすることができる。
【００５３】
また、転動体１の一部が鉄のような軟磁性体とされている場合は、軟磁性体の部位が通路体１０の下流端や表面の永久磁石１０ａに磁気吸着されることで、転動体１が予測できない動きをする。永久磁石１０ａが通路体１０の表面に備えられ、下流端に備えられていない場合は、転動体１の全体を軟磁性体としてもよい。
追加文
【００５４】
図６に示した転動体１において、永久磁石１ａや軟磁性体はいずれも比重が大きく、非磁性１ｂは一般に比重が小さい。その為、図６（ａ）、（ｃ）に示した転動体１は、スムーズに回転したり動いたりしないため、ぎこちない動きを楽しむことが出来る。図６（ｂ）、（ｄ）、或いは（ａ）や（ｃ）に示した転動体１の永久磁石１ａの無い部分に軟磁性体などを装着して重量のバランスをとれば、スムーズに回転したり動いたりする。
（以下繰り下げ）
【００５５】
〔第３の実施形態〕
本発明に係る遊具の第３の実施形態について、主として図９を参照しながら説明する。第３の実施形態に係る遊具において、第１の実施形態の遊具と同一部分は、同一符号を付して説明する。第３の実施形態に係る遊具は、図９（ａ）〜（ｄ）に示すように、転動体１の転がり落ちる方向を変更させる障害物３０をコースＣの途中に備えていることを特徴としている。
【００５６】
図９（ａ）に示す障害物３０は、通路体１０（図１参照）が揺動するようにしたシーソー部材３１である。したがって、このシーソー部材３１は、スペーサ（図９（ａ）において図示せず）の中心に支軸３１ａを備えている。この支軸３１ａは、被着面Ａに磁気吸着されるように永久磁石（図示せず）を備えている。この通路体１０は、第１の実施形態のようにスペーサ１１ｃ，１２ｃ（図３，図４参照）の裏面や装着部１２ｅの裏面に永久磁石１１ｄ，１２ｄ（図３，図４参照）を備えていない。
【００５７】
このシーソー部材３１は、例えば、通常、左下がりに傾斜していて、中心から右寄りの位置に転動体１が落下し、その転動体１の重さや速さなどによって、左下がりの姿勢を維持したり右下がりの姿勢に転換したり一定の角度で揺動する。そのため、シーソー部材３１は、例えば、トーションバネ（図示せず）を支軸３１ａに備え、左下がりの姿勢において上流側にある大きさ以上の外力が加えられると右下がりの姿勢となり、その後、右上がりの姿勢に復元する機能を有している。
【００５８】
また、弾性係数が異なるトーションバネを備えた複数種類のシーソー部材３１を揃えておくことで、同じ重さの転動体１であっても、シーソー部材３１が右下がりの姿勢となったり、右上がりの姿勢を維持したりさせることができる。
【００５９】
このようなシーソー部材３１がコースＣの途中に設けられることで、転動体１は予測できない方向に転がり落ちる。例えば、軽い転動体１であれば、左下がり傾斜姿勢の通路体１０の中心から右寄りの位置に落下しても、通路体１０は左下がりの傾斜姿勢を維持し、転動体１は左下方向に転がり落ちる。重い転動体１が左下がりの傾斜姿勢の通路体１０の中心から右寄りの位置に落下すると、通路体１０は右下がりの傾斜姿勢となり、転動体１は右下方向に転がり落ちる。
【００６０】
このように、転動体１が通路Ｐの中心よりに落下するか、上流寄りに落下するか、また、転動体１が重いか軽いか、さらに、トーションバネの弾性係数によって、通路体１０がどちらに傾斜するか予測できない。したがって、このシーソー部材３１が中段よりも下側の下段に複数並べられることで、転動体１がどちらに転がり落ちるかをさらに予測することができず、迷路のようなゲーム性を有するようにすることができる。
【００６１】
図９（ｂ）に示す障害物３０は、転動体１を捕らえる凹部を有する多角形体で、この捕らえられた転動体１を回転させるターン部材３２である。このターン部材３２は、回転軸３２ａを有し、非連続部Ｑに配置される。転動体１が勢い余って上流側の通路Ｐから飛び出しても、ターン部材３２に捕らえられることにより、確実に下側に通路Ｐに移り換えられるようにすることができる。
【００６２】
特に、通路が大きく傾斜しているときは、転動体１が加速して転がり落ちるため、ターン部材３２が転動体１を捕らえ、方向転換させて、確実に下方へ誘導することができる。また、ターン部材３２の表面には、ターン部材３２の回転速度によって、模様が変化するような模様が施されてもよい。
【００６３】
図９（ｃ）に示す障害物３０は、正面視が円形（真円を図示したが、楕円も含まれる。）のバウンド部材３３であり、図９（ｄ）に示す障害物３０は、多角形（三角形を図示したが、四角形以上の多角形も含まれる。）のバウンド部材３３である。このバウンド部材３３は、非連続部Ｑに配置され、通路Ｐの下流端から転がり落ちてきたバウンド部材３３に当たり、どの方向に跳ね返るか予測できないという興趣を楽しむことができる。
【００６４】
また、柔らかいバウンド部材３３や硬いバウンド部材３３などから選択することができるようにすることで、さらに興趣を高めることができる。そして、バウンド部材３３は、定速で回転したり、定期的に又は不定期に変速したり、あるいは転動体１が当たったときのみ回転するようにしてもよい。
【００６５】
回転するようにしたバウンド部材３３は、図示しないが、裏面側に回転軸が設けられ、回転軸の先端に永久磁石が備えられている。回転しないバウンド部材３３は、裏面の全面又は一部に永久磁石が備えられている。いずれにしても、バウンド部材３３は、被着面Ａの任意の一に磁気吸着され、容易に着脱することができる。
【００６６】
この第３の実施形態に係る遊具は、転動体１が障害物３０に誘導され、あるいは跳ね返ることによって予測できない方向に移動することで、興趣を高めることができる。転動体１が予想通りに、あるいは全く予想不可能な動きで転動したり落下したりしてゆく様を楽しむばかりではなく、障害物３０を用いて、転動体１が途中で離脱しないコースＣを作りあげるという知的な遊びの要素を含めることができる。
【００６７】
〔第４の実施形態〕
本発明に係る遊具の第４の実施形態について、主として図１０を参照しながら説明する。第４の実施形態に係る遊具において、第１ないし第３の実施形態の遊具と同一部分は、同一符号を付して説明する。
【００６８】
第４の実施形態に係る遊具は、第２の実施形態で説明したような永久磁石１ａ又は鉄のような軟磁性体を備えた転動体１が転がり落ちるコースＣに障害物３０を並べるもので、この障害物３０が図１０（ａ）〜（ｃ）に示すように永久磁石３０ａを備えていることを特徴としている。
【００６９】
図１０（ａ）に示す障害物３０は、シーソー部材３１の下流端に永久磁石３０ａを突出させ、通路Ｐの途中に永久磁石３０ａを埋設した構成とされている。永久磁石３０ａは、シーソー部材３１の下流端のみ又は通路Ｐの途中のみ備えてもよいし、両方備えてもよい。この遊具にあっては、転動体１がシーソー部材３１の下流端に転がり落ちてきたときに、転動体１の永久磁石１ａがシーソー部材３１の下流端の永久磁石３０ａに磁気吸着されるかどうかによって斜め下方に転がり落ちるか、真下に落ちるかの意外性を楽しむことができる。
【００７０】
図１０（ｂ）に示す障害物３０は、永久磁石３０ａを備えたターン部材３２である。図示したターン部材３２は、永久磁石３０ａを備えた多角形板３２ｂと非磁性の多角形板３２ｃとを各角部が突出するように重ね合わせ、一方の角部が他方の辺部から突出し、両板３２ｂ，３２ｃを貫通する回転軸３２ａを中心に回転するようにされている。一方の多角形板３２ｂは、非磁性体と永久磁石３０ａとを組み合わせたもので、永久磁石３０ａは、Ｎ極とＳ極が非磁性体の多角形盤３２ｃの各辺から交互に突出するように現れ、Ｓ極とＮ極が交互に内在する。ただし、永久磁石３０ａは、全て同極が突出するようにしてもよい。このターン部材３２にあっては、第１の実施形態の第２の通路体１２のように裏側ガイドレール１２ｂ（図４参照）を備えた通路に連続することが好ましい。
【００７１】
ただし、ターン部材３２は、永久磁石３０ａと非磁性体３０ｂとを半分ずつ配備したり、永久磁石３０ａと非磁性体３０ｂとの割合が異なるように配備したりすることで、第１の実施形態の第１の通路体１１のように、裏側ガイドレール１２ｂを備えていない通路Ｐに連続させることができる。いずれにしても、このターン部材３２は、通路体１０の下流端の下側に配置される。
【００７２】
この遊具にあっては、通路Ｐの下流端から落下した転動体１がターン部材３２に衝突したとき、転動体１の永久磁石１ａがターン部材３２の永久磁石３０ａに磁気吸着されなければ、転動体１はターン部材３２の外面に沿って転がり落ち、転動体１の永久磁石１ａがターン部材３２の永久磁石石３０ａに磁気吸着されれば、転動体１はターン部材３２の回転に追従して下方に移動し、自重によって落下する。
【００７３】
図１０（ｃ）に示す障害物３０は、永久磁石３０ａと非磁性体３０ｂとを有し、周方向に回転するバウンド部材３３である。図示したバウンド部材３３は、永久磁石３０ａと非磁性体３０ｂとが交互に３か所ずつ配置されているが、半分ずつ配置されてもよいし、４か所以上ずつ配置されてもよい。また、永久磁石３０ａは、Ｎ極とＳ極が交互にあらわれてもよいし、同じ磁極だけが現れるようにしてもよい。
【００７４】
この第４の実施形態に係る遊具にあっては、通路Ｐの下流端から落下した転動体１がバウンド部材３３に衝突したとき、転動体１の永久磁石１ａがバウンド部材３３の永久磁石３０ａに磁気吸着されなければ、転動体１はバウンド部材３３で跳ね返される。転動体１の永久磁石１ａがバウンド部材３３の永久磁石３０ａに磁気吸着されれば、バウンド部材３３が周方向に回転し、転動体１が下側まで移動して落下する。
【００７５】
なお、バウンド部材３３は、周方向に回転しないようにして、転動体１の永久磁石１ａがバウンド部材３３の永久磁石３０ａに当たるかどうかだけで、転動体１がどの方向に移動するか予測できないという意外性を楽しむようにしてもよい。
【００７６】
このように第４の実施形態に係る遊具は、障害物３０と永久磁石３０ａとの組み合わせにより、転動体１がより予測できない方向に跳ね返ったり転げ落ちたりするため、転動体１が転がり落ちる方向の意外性をより楽しむことができる。なお、第４の実施形態に係る遊具において、転動体１が永久磁石１０ａを備える場合は、障害物３０は、永久磁石１０ａに替えて、鉄のような軟磁性体を備えてもよい。
【００７７】
〔第５の実施形態〕
本発明に係る遊具の第５の実施形態について、図１１を参照しながら説明する。第５の実施形態に係る遊具は、ワイヤーやロープなどの柔軟性のある索条体や変形しにくい柔軟性のないレールなどによって構成される２本の軌条３１を一定の間隔で架設することにより、通路体１３を構成することを特徴としている。
【００７８】
この通路体１３は、２本の軌条３１と、各軌条３１を支持する支柱３２と、この支柱３２を被着面Ａに装着する腕木状の装着部３３とを備えている。被着面Ａが磁性面である場合は、装着部３３の基端部３３ａには、永久磁石（図示せず）が備えられている。通路Ｐは、直線のタイプだけでなく、軌条３１が柔軟性のないレールなどにあっては、カーブさせることもできる。
【００７９】
そして、転動体１は、円盤状（図示した真円だけでなく、楕円などであってもよい。）や図示しない多角形盤状の本体部１ｃと、この本体部１ｃの中心に挿通され、各軌条３１の上を転がり落ちる軸部１ｄとを備えている。当然ながら、２本の軌条３１の間隔は、転動体１の厚さよりも広くされている。
【００８０】
そして、この転動体１の本体部１ｃは、軌条３１の上側だけでなく、下側も見ることができる。したがって、この本体部１ｃに模様が描かれることにより、変化する模様を視覚的にも楽しむことができる。
【００８１】
この第５の実施形態の変形例として、通路体１３は、軌条３１が転動体１の軸部１ｄを上下から挟むようにしてもよい。こうすることによって、通路Ｐをループ状に形成し、転動体１をループ状に回転させることができる。
【００８２】
〔他の実施形態〕
本発明は、上記第１ないし第５の実施形態に限定することなく種々変更することができる。例えば、通路Ｐは、第１ないし第５の実施形態のいくつか又は全部の通路体１０を組み合わせて設けてもよい。また、転動体１は、円盤や多角形盤に限らず、球体、あるいは、六面体や八面体以上の柱状体を倒した姿勢とした多面体であってもよい。この場合、通路Ｐの溝の幅は、当然ながら球体の直径や多面体の長さよりも大きくされる。
【００８３】
また、例えば通路Ｐが複数に分岐し、下流端のポケット２０が複数ある場合は、通路Ｐを転がり落ちる転動体１が見えないようにして、どこのポケット２０から出てくるかを楽しむようにしてもよい。また、転動体１と通路Ｐのガイドレールとをともに網目や多数の小孔を形成したものとし、多様に変化するモアレ模様が出現するようにしてもよい。
【００８４】
また、遊具は、転動体１が特定の通路Ｐを通過したときに効果的な音や光などが出るようにすることもできる。そのため、通路Ｐには、転動体１を検知するセンサが備えられる。
【００８５】
また、被着面Ａがシート状の磁石を備えた壁面である場合は、通路体１０や障害物３０は、永久磁石に替え、鉄のような軟磁性体を備えてもよい。また、通路体１０は、被着面Ａに磁気吸着されるのではなく、粘着体によって被着面Ａに固定しても良い。
【産業上の利用可能性】
【００８６】
本発明に係る遊具は、迷路を創作する過程によって、幼児や児童の知的発達を促す知育教材として、認知症発症者のゲームとして、さらに、一般人のゲームとして産業上の利用性がある。
【符号の説明】
【００８７】
１    転動体
１ａ  永久磁石
１０    通路体
１０ａ  永久磁石
１０ｂ  非磁性体
１１    第１の通路体
１１ａ  ガイドレール
１１ｃ  第１のスペーサ
１１ｄ  永久磁石
１２    第２の通路体
１２ａ  表側ガイドレール
１２ｂ  裏側ガイドレール
１２ｃ  第２のスペーサ
１２ｄ  永久磁石
１２ｅ  装着部
１３    通路体
３０    障害物
Ｃ      コース
Ｐ      通路
Ｑ      非連続部
【図１】
2017195931.tif 000003
【図２】
2017195931.tif 000004
【図３】
2017195931.tif 000005
【図４】
2017195931.tif 000006
【図５】
2017195931.tif 000007
【図６】
2017195931.tif 000008
【図７】
2017195931.tif 000009
【図８】
2017195931.tif 000010
【図９】
2017195931.tif 000011
【図１０】
2017195931.tif 000012
【図１１】
2017195931.tif 000013